(57)【要約】      （修正有）【課題】送風能力が大きく且つ風損の少ないファン装置、またリード線を簡便且つ風損を最小化できるファン装置を提供する。【解決手段】リード線１０は、ハウジングのファンモータを固定するモータ支持部８ａからファン外枠部８ｂ３側へ、或いはハウジングのファン外枠部８ｂ３からモータ支持部８ａ側へ突出して設けられたリード線保持部９ａ、９ｂを通ってファン外枠部８ｂ３側へ引き出される。リード線保持部９ａ、９ｂは、モータ支持部８ａをファン外枠部８ｂ３に固定する支柱部８ｃ１、８ｃ２が互いに隣接する間に位置する。【選択図】図３
2005127319.tif 000002
【特許請求の範囲】
【請求項１】
ファンモータ、インペラ、ハウジングより構成されるファン装置であって、
前記ファンモータはロータ部とステータ部を有し、外部からリード線を経由して前記ステータに供給される電力により、前記ロータをモータ回転軸の周りで回転させており、
前記インペラは、モータ回転時に気流を発生させるために前記ロータ部に固着されており、
前記ハウジングは、ファン外枠部と、前記ファンモータを固定する、モータ回転軸を略中心として回転方向外径側に延びる円板状のモータ支持部と、更に該モータ支持部を前記ファン外枠部に固定する少なくとも３つ以上の支柱部、および前記リード線を保持するリード線保持部よりなり、該リード線保持部は腕部とリード線保持凹部とを有し、前記腕部の一端は前記モータ支持部または前記ファン外枠部に固定され、前記腕部の他端に前記リード線保持凹部を有し、前記ファンモータから出た前記リード線が前記リード線保持部を介して前記ファン外枠部を経由し、当該ファン装置の外に引き出されることを特徴とするファン装置。
【請求項２】
請求項１に記載のファン装置において、
前記腕部は少なくとも１本の棒状支柱により形成されていることを特徴とするファン装置。
【請求項３】
請求項１に記載のファン装置において、
前記モータ支持部には、前記ファンモータを制御する制御基板が固定され、前記リード線が、当該制御基板から出て、前記リード線保持部を介して前記ファン外枠部を経由し、当該ファン装置の外に引き出されることを特徴とするファン装置。
【請求項４】
請求項１に記載のファン装置において、
前記ハウジングは合成樹脂を主たる材料とした射出成形により一体成形されていることを特徴とするファン装置。
【請求項５】
請求項４に記載のファン装置において、
前記ハウジングは４本の支柱を有し、
前記ファン外枠部は、前記ファンモータを取り囲むファン外枠円筒部と４つの取付用端板部とを有し、４つの前記取り付け用端板部は該ハウジングの平面図形状が正方形となる様に前記ファン外枠部の外周面に一体形成されており、加えて、それぞれの前記支柱部の一端が、前記取付用端板部の隣接する一対の隅を結ぶ辺の略中央に連結されていることを特徴とするファン装置。
【請求項６】
請求項５に記載のファン装置において、
前記ハウジングの前記リード線保持部が延びる方向にある前記取付用端板部には、前記リード線を保持する凹溝部があり、前記リード線は該凹溝部を経由して、当該ファン装置の外に引き出されることを特徴とするファン装置。
【請求項７】
請求項６に記載のファン装置において、
前記モータ支持部には、前記ファンモータを制御する制御基板が固定され、前記リード線が、当該制御基板から出て、前記リード線保持部および前記凹溝部を経由し、当該ファン装置の外に引き出されることを特徴とするファン装置。
【発明の詳細な説明】
【技術分野】
【０００１】
本発明は、ＯＡ機器や家電機器等の各種機器に使用されるファン装置において、そのファンモータのリード線の引き出し構造に改良を加えたものに関する。
【背景技術】
【０００２】
ファン装置は、機器駆動時に生じる熱を冷却するために、ＯＡ機器や家電機器等の各種機器に幅広く使用されている。特にパーソナルコンピュータやサーバ装置では、処理速度の飛躍的向上に伴い、ＣＰＵチップその他のＩＣの動作時における発熱量が増大し、より小型で風量が大きい、高効率のファン装置が求められている。ファン装置は一般に、ファンモータとハウジングと回路基板とを備えている。そしてファンモータは、駆動力を発生するモータ部と、この駆動力により回転することで冷却用気流を発生するインペラとから構成されている。一方ハウジングは、ファンモータ及び回路基板を支持するモータ支持部と、ファンモータ及びモータ支持部の外周側に所定の間隔をあけて位置するファン外枠部と、モータ支持部とファン外枠部との間に延びて両者を連結する複数の支柱部とから構成される。ここで回路基板はモータ部を制御するためのものである。また外部から電力を供給するリード線が、ファン外枠部を経由し、複数ある支柱部の何れか１つに設けられたリード線挿入溝に誘導されて、更に回路基板を経由してモータ部に接続されている。この供給電力によりファンモータが回転するとインペラが回転し、これによって、ファン外枠部とモータ支持部との間に形成される空隙をファンモータの軸線方向に沿って気流が発生する。
【０００３】
ファン外枠部とモータ支持部との間の空隙には、モータ支持部を保持するために少なくとも３本、通常４本の支柱部が設けられる。これらの支柱部が軸線方向の気流に対して障害とならないように、これらの支柱部が有する、回転軸線方向に直交する断面の面積は、できるだけ小さくなるように調整される。
【０００４】
ところが、上述のファン装置では、支柱部のひとつにリード線が収容されるため、その支柱部が太くなってしまう。その結果、より送風特性を上げるために支柱部の幅を小さくして空気抵抗の低減を図ろうとしても限界があった（特許文献１及び２参照）。
【０００５】
また、小型のファン装置では、モータ支持部とファン外枠部との距離が接近している。そのため、支柱部に誘導されずに直接リード線をファン外枠部に引き出すものがある。この構成では、支柱部に案内溝を設ける必要がなくなるため、支柱部に対する空気抵抗を低減できる。ところが、もしリード線が撓むと、このリード線が、回転しているインペラに接触し、リード線の絶縁被覆が破損し短絡や断線する可能性もある。
【０００６】
近年ファン装置の風量はより大きなものが求められている。そのような状況下では、リード線を保持する支柱部が太くなることに起因する風損が無視できなくなってきた。加えてＯＡ装置等の外径形状はより小さなものが求められている為、インペラとファン外枠部との間の隙間も最小にして、一定のファン装置外径形状で最大のインペラを使用することで、風量を大きくすることが求められている。
【０００７】
【特許文献１】実開平６−９３５３号公報
【特許文献２】実公平８−７８２０号公報
【発明の開示】
【発明が解決しようとする課題】
【０００８】
解決しようとする課題は、これまでのファン装置ではリード線を支柱部を介して外枠部に引き出すため、支柱部の幅が広く空気抵抗が大きくなる点である。
【０００９】
本発明はこのような従来の課題に鑑みてなされたものであり、その目的とするところは、送風能力が大きく且つ風損の少ないファン装置を提供することである。また本発明の他の目的は、リード線を簡便且つ風損を最小化できるファン装置を提供することである。
【課題を解決するための手段】
【００１０】
前記問題点に対する本発明の解決手段は、ファンモータ、インペラ、ハウジングより構成されるファン装置であって、前記ファンモータはロータ部とステータ部を有し、外部からリード線を経由して前記ステータに供給される電力により、前記ロータをモータ回転軸の周りで回転させており、前記インペラは、モータ回転時に気流を発生させるために前記ロータ部に固着されており、前記ハウジングは、ファン外枠部と、前記ファンモータを固定する、モータ回転軸を略中心として回転方向外径側に延びる円板状のモータ支持部と、更に該モータ支持部を前記ファン外枠部に固定する少なくとも３つ以上の支柱部、および前記リード線を保持するリード線保持部よりなり、該リード線保持部は腕部とリード線保持凹部とを有し、前記腕部の一端は前記モータ支持部または前記ファン外枠部に固定され、前記腕部の他端に前記リード線保持凹部を有し、前記ファンモータから出た前記リード線が前記リード線保持部を介して前記ファン外枠部を経由し、当該ファン装置の外に引き出されることを特徴とする。
【００１１】
前記腕部は少なくとも１本の棒状支柱により形成されている。
【００１２】
前記モータ支持部には、前記ファンモータを制御する制御基板が固定され、前記リード線が、当該制御基板から出て、前記リード線保持部を介して前記ファン外枠部を経由し、当該ファン装置の外に引き出される構成となっている。
【００１３】
前記ハウジングは合成樹脂を主たる材料とした射出成形により一体成形されている。
【００１４】
ハウジングのより具体的な構成として、前記ハウジングは4本の支柱を有し、前記ファン外枠部は、前記ファンモータを取り囲むファン外枠円筒部と４つの取付用端板部とを有し、４つの前記取り付け用端板部は該ハウジングの平面図形状が正方形となる様に前記ファン外枠部の外周面に一体形成されており、加えて、それぞれの前記支柱部の一端が、前記取付用端板部の隣接する一対の隅を結ぶ辺の略中央に、連結されている。
【００１５】
前記ハウジングの前記リード線保持部が延びる方向にある前記取付用端板部には、前記リード線を保持する凹溝部があり、前記リード線は該凹溝部を経由して、当該ファン装置の外に引き出される。
【００１６】
前記モータ支持部には、前記ファンモータを制御する制御基板が固定され、前記リード線が、当該制御基板から出て、前記リード線保持部および前記凹溝部を経由し、当該ファン装置の外に引き出される。
【発明の効果】
【００１７】
本発明に係るファン装置は、リード線が支柱部に誘導されずに、モータ支持部とファン外枠部との間の空隙を通る。そのため、必要な強度が確保される範囲で可能な限り、支柱部は幅を狭くできる。また、支柱部の幅を狭くできるため、モータ支持部とファン外枠部との間の空隙を流れる空気の空気抵抗を小さくでき、送風特性が向上する。
【００１８】
また本発明に係るファン装置は、リード線が風損の少ない形状を有するリード線保持部によって保持されるため、リード線がインペラと接触することはなく、かつ風損の少ないファン装置を実現することができる。
【００１９】
さらに、本発明に係るファン装置は、ハウジングが合成樹脂により射出成形されている。そしてハウジングの支柱部の一端を、取付用端板部の隣接する一対の隅を結ぶ辺の略中央に連結する構造を有するため、射出成形の最終段階である冷却時における該略中央部の変形を最小化することができる。これによりファン外枠円筒部の強度を高め、真円度の良いファン外枠円筒部が成形される。その結果ファン外枠円筒部の真円度が高いため、インペラ外径をファン外枠円筒部の内径近くまで設定することができ、インペラ外径をより大きくすることができる。このため、インペラの送風能力を高めることができる。インペラとファン外枠円筒部との空隙の間隔を狭く設定できるため、空隙からの空気漏れ量を少なくできる。よって、このファン装置は高い送風効率を実現できる。
【００２０】
加えて本発明に係るファン装置は、リード線が、風損の少ない形状を有するリード線保持部によって保持される。このため、リード線がインペラと接触することはなく、高風量かつ風損の少ないファン装置を実現した。
【発明を実施するための最良の形態】
【００２１】
本発明のファン装置を実施するための最良の形態について、図１乃至３を参照して説明する（以下、これを第１実施形態という）。図１はそのファン装置を概略的に示す断面図である。図２は図１のファン装置のハウジングの底面図である。図３は図１のファン装置をハウジングの底面側からみた要部拡大斜視図である。なお、説明中における軸線方向とは、このファン装置においてファンモータの回転軸線がのびる方向（図１の矢印Ａ１の方向）をいう。
【００２２】
このファン装置１は、インペラ２と、ファンモータ４と、回路基板６と、ハウジング８とから構成される。回路基板６は、このファンモータ４への通電を制御し、インペラ２の回転を制御する制御回路を備えている。ハウジング８は、ファンモータ４と回路基板６を支持する。
【００２３】
また、ハウジング８は、中央にファンモータ４と回路基板６とを支持するモータ支持部８ａと、このモータ支持部８ａ及びファンモータ４の外周側に所定の間隔をあけて位置するファン外枠部８ｂと、モータ支持部８ａとファン外枠部８ｂとを連結する４本の支柱部８ｃ１乃至８ｃ４とが、合成樹脂により一体的に射出成形されている。モータ支持部８ａは、外形形状が略円形形状である。支柱部８ｃ１乃至８ｃ４は、モータ支持部８ａとファン外枠部８ｂとの間に周方向に等間隔に延びている。
【００２４】
モータ支持部８ａは、円形状で軸線方向一方側の面の中央に円筒支持部８ａ１が設けられている。モータ支持部８ａは、支柱部８ｃ１と支柱部８ｃ４との間に位置する縁から内側に平面視略矩形状に切り込まれた切欠き８ａ２が設けられている。切欠き８ａ２を形成する一方の側端からファン外枠部８ｂ側へ延びるリード線保持部９が設けられている。
【００２５】
ファン外枠部８ｂは、両端開放状のファン外枠円筒部８ｂ１がモータ支持部８ａ及びファンモータ４を外周側から取り囲む。また、このファン外枠円筒部８ｂ１の両開口端に位置する外周面に外縁が正方形状に形成された一対の端板８ｂ２、８ｂ３が設けられている。一対の端版８ｂ２、８ｂ３の四隅には両端板８ｂ２、８ｂ３を連結する柱状の連結部８ｂ４が設けられている。この連結部８ｂ４に軸線方向に貫通する貫通孔８ｂ５が設けられている。端版８ｂ２、８ｂ３の外縁を形成する正方形は、これの一辺がファン外枠円筒部８ｂ１を形成する円の直径より若干大きい。貫通孔８ｂ５はファン装置１を所定の部位に設置する際に使用するためのネジ孔である。両端板８ｂ２、８ｂ３の円筒部８ｂに通じる側の四隅には傾斜面が形成されている。また、図３において拡大して示すように、支柱部８ｃ１と連結部８ｂ４との間に位置する端板８ｂ３の傾斜面には、ファンモータ４の半径方向にのびる凹溝８ｅが形成されている。その外端は開口が狭くなって端板８ｂ３の側面に貫通している。リード線１０は、この凹溝８ｅの開口部に係止され保持されている。
【００２６】
４本の支柱部８ｃ１乃至８ｃ４は、各一端が端板８ｂ３における隣接する一対の隅を結ぶ辺の中央に対応するファン外枠部８ｂ（図２の点Ａ）に連結され、各他端がそこからファンモータ４の回転中心の方向へ延在してモータ支持部８ａに連結されている。支柱部８ｃ１乃至８ｃ４は、薄肉で所定幅の帯状板である。
【００２７】
ファンモータ４は、円筒支持部８ａ１の外周面にステータ及び回路基板６がはめ込み固定され、このステータのコイルが回路基板６の接続部に半田付けされている。その円筒支持部８ａ１の内周面に固定された軸受手段によりシャフトが回転自在に支持される。シャフトは、インペラ２を有するロータを備えている。ロータの内周にはヨークを介して駆動用マグネットを備え、このマグネットがステータに対向している。回路基板６には、外部電源に接続するためのリード線１０の一端が電気的に接合され、その他端がファン外枠部８ｂ側へ凹溝８ｅを通って引き出される。リード線１０は、本実施例では２本であるが制御回路やリード線の仕様によって１本または３本以上の場合もある。外部電源からリード線１０を通じてステータに電流が供給されると、ステータと駆動用マグネットとの磁気的相互作用により駆動トルクが発生してロータが回転し、インペラ２が空気を掻き込んで気流を発生する。発生した気流は、ファン外枠部８ｂと支柱部８ｃ１乃至８ｃ４との間の空隙をファンモータ４の軸線方向に流れる。
【００２８】
次に前述のリード線保持部９について詳細に説明する。リード線保持部９は、モータ支持部８ａの切欠き８ａ２の側端の一方からファン外枠部８ｂ側へ突出する腕部９ａと、この腕部９ａの先端から支柱部８ｃ１側へ屈曲する先端部９ｂとからなる。腕部９ａは、支柱部８ｃ１乃至８ｃ４に対してほぼ同等の肉厚で幅が狭く、かつ長さがほぼ半分の板形状である。腕部９ａは、モータ支持部８ａとの付け根が先端側よりも太くなっている。リード線保持凹部９ｂは、腕部９ａに対してほぼ同等の幅で、腕部９ａに対して長さが若干短い。リード線保持凹部９ｂは、腕部９ａに対して肉厚が約２倍でインペラ２側へ突出しこの肉厚方向に凹部が形成されている。このリード線保持凹部９ｂの深さ及び幅は、２本のリード線１０が十分に収容できる程度である。リード線保持凹部９ｂと切欠き８ａ２と凹溝８ｅはほぼ同一直線上に位置し、そのリード線保持凹部９ｂはモータ支持部８ａとファン外枠部８ｂとの間のほぼ中間に位置する。
【００２９】
リード線１０は、回路基板６との接合部が切欠き８ａ２から露出するように位置する。リード線１０は、切欠き８ａ２からリード線保持凹部９ｂを通って凹溝８ｅに案内され端板８ｂ３の側面から引き出される。リード線保持凹部９ｂと切欠き８ａ２との間に形成された開口８ａ３は、リード線１０の引き出す時に役立つ。例えば、モータ支持部８ａに予め固定された回路基板６にリード線１０の一端を半田付けするとき、開口８ａ３及び切欠き８ａ２からリード線１０を挿入して接合作業を行うことで回路基板６とリード線１０との接合は完了できる。また、回路基板６にコネクタ付きのリード線１０が接合したものを円筒支持部８ａ１に取り付け、その後、そのリード線１０のコネクタ側をモータ支持部８ａの底面側（図２の紙面表側）に引き出すとき、リード線１０をその開口８３ａからリード線保持凹部９ｂ側に案内することで、リード線１０の一端にコネクタが付いていても容易に引き出すことができる。
【００３０】
また、リード線１０が引き出される方向とリード線保持凹部９ｂとは略直交している。凹溝８ｅの外端は開口が狭くなっているため、リード線１０を開口より凹溝８ｅに挿入すると、凹溝８ｅ付近でリード線１０が移動しても外れることはない。また、リード線保持凹部９ｂの底面は、回路基板６のリード線１０の接合部が形成される面と凹溝８ｅの底面とを通る面よりもハウジング８の軸線方向外方側（図３において図示されるハウジング８の底面側）に位置する。そのため、リード線１０はリード線保持凹部９ｂでの摩擦抵抗が大きくなりリード線１０の移動がしにくい。
【００３１】
ファン装置１は、次のような特徴がある。すなわち、リード線１０を支柱部８ｃ１乃至８ｃ４を介さずにモータ支持部８ａとの間の空隙を通る。そのため、従来のように溝の分だけ幅広であった支柱部を必要な強度が確保される範囲で可能な限り小幅にできる。更にこの空隙を流れる空気の空気抵抗を小さくでき送風抵抗が向上する。
【００３２】
また、リード線保持部９がモータ支持部８ａに設けられ、モータ支持部８ａとファン外枠部８ｂとの間の空隙の内径側に位置する。この空隙の内径側を通る気流は外径側を通る気流よりも流速が小さいため、気流が障害物（リード線保持部９）に衝突してもその損失は少ない。なお、リード線保持部９が空気抵抗となるが、モータ支持部８ａから突出する形状であり、支柱部８ｃ１乃至８ｃ４のようにファン外枠部８ｂまでを連結する構成ではない。そのため、気流の障害となる領域（軸線方向に対向する面の面積）が少なくリード線保持部９の空気抵抗は微小である。同様にリード線１０が空気抵抗となるが、支柱部に溝を設けて幅広となる分に比べてその空隙中に露出する面積が十分に小さい。そのため、リード線１０の空気抵抗も微小である。リード線保持部９及びリード線１０による空気抵抗の影響はほとんどない。
【００３３】
支柱部８ｃ１乃至８ｃ４は、各一端がファン外枠部８ｂの点Ａ付近に連結されていることから、ハウジング８は成形時に変形しにくく高精度に成形される。この理由を図７に示す参考図を用いて説明する。
【００３４】
図７に示すハウジング８０は、本形態のハウジング８における４本の支柱部８ｃ１乃至８ｃ４を円周方向に４５度回転移動させた配置となっている（図７に示す４本の支柱部をそれぞれ８０ｃ１乃至８０ｃ４という）。このハウジング８０の円筒部８０ｂ１は、合成樹脂により射出成形すると、端板８０ｂ２，８０ｂ３がある点Ｂの厚肉部分と、端板８０ｂ２，８０ｂ３が無い点Ａの薄肉部分とが、円周方向に混在し、このハウジング８０は、円筒部８０ｂ１の点Ｂ付近が点Ａ付近に比べて大きく収縮する。そのため、円筒部８０ｂ１の点Ａ付近は、両側の点Ｂへ引っ張られて（矢印ｙ１）内径側に倒れるような応力が作用し（矢印ｙ２）、真円度の悪い円筒部８０ｂ１が成形されてしまう。したがって、このハウジング８０を備えたファン装置では、そのインペラ８２の外端が円筒部８０ｂ１の内周面に接触しないようにその成形時の変形量を考慮してインペラ８２外径を小さくしなければならず、インペラの送風能力を犠牲にしていた。また、インペラ８２と円筒部８０ｂ１との間に形成される空隙の間隔が大きくなり、この空隙からの空気漏れ量が多くなってしまう。よって、このファン装置は送風効率が良くなかった。
【００３５】
これに対して、本実施形態のハウジング８では、図２に示すように４本の支柱部８ｃ１乃至８ｃ４がそのファン外枠円筒部８ｂ１の全ての点Ａに連結するため、各支柱部８ｃ１乃至８ｃ４が互いに支え合って樹脂固化時の応力を吸収し、ファン外枠円筒部８ｂ１の変形が抑えられる。そのため、真円度の良いファン外枠円筒部８ｂ１が成形され、インペラ２外径をこのファン外枠円筒部８ｂ１の内径近くまで設定することができる。したがって、インペラ２外径をより大きくすることができるため、インペラ２の送風能力を高めることができる。また、インペラ２とファン外枠円筒部８ｂ１との空隙の間隔を狭く設定できるため、空隙からの空気漏れ量を少なくできる。よって、このファン装置１は高い送風効率を実現できる。
【００３６】
また、各支柱部８ｃ１乃至８ｃ４のファン外枠部８ｂ側が、ファン外枠部８ｂの点Ａ付近に連結されることによって、ファン外枠部８ｂ１の四隅の傾斜面にそれら支柱部の接合部が形成されないため、気流がその傾斜面を円滑に流れ、送風効率が向上する。
【００３７】
さらに、各支柱部８ｃ１乃至８ｃ４の配置は、前述の通り成形性の面では有利であるが、参考図として図８に示すように、リード線を４本の支柱部の一つ（図８の符号８１ｃ１）を介して引き出す構成とすると、ハウジング８１の外側にリード線がはみ出てしまう。この場合、このファン装置をＯＡ機器などに設置する際に、このリード線があるファン装置の上辺部に、このリード線を通す間隙を確保する必要が生じ、このＯＡ機器等の設計上の制約となる。
【００３８】
これに対して、本実施形態では、図２に示すように、リード線１０が規制手段９を用いて端板８ｂ３の隅部に引き出されるため、リード線１０を保持する凹溝８ｅを、寸法を拡大することなく端板８ｂ３に設けることができる。また、リード線１０は、ハウジング８の外側にはみ出ることなく保持することができる。さらに、各支柱部８ｃ１乃至８ｃ４の何れにもリード線案内溝がないため、支柱部が空気抵抗とることもない。
【００３９】
以上より、本形態のファン装置１は、ハウジング８の成形精度の向上によりインペラ２外径を大きくすること、各支柱部８ｃ１乃至８ｃ４が送風抵抗とならないことから、高い送風効率が実現される。しかも、リード線１０は、ハウジング８の外形寸法を拡大し、送風抵抗の増加をともなうことなく、引き出すことが実現される。
【００４０】
なお、支柱部８ｃ１乃至８ｃ４の一端は、隣接する隅部の中央（点Ａ）に位置するが、その点Ａから若干ずれてもほぼ同等の部位であれば点Ａの近傍にあっても同様の効果が得られる。ハウジング８は、ファン外枠円筒部８ｂ１の両開口端に一対の端板８ｂ２、８ｂ３を備える構成である。端板が、何れか一方にある、またはファン外枠円筒部８ｂ１の中間部分に位置する構成であっても、同様に収縮率の差が生じるため、本形態のような支柱部８ｃ１乃至８ｃ４とすることで変形しにくい。端板８ｂ２、８ｂ３は、ネジ孔（貫通孔８ｂ５）が四隅に位置することから外縁が正方形となっているが、取付性を考慮して二又は三カ所であってもよく外縁は正方形に限定されない。このとき、変形性を考慮してそのネジ孔の近傍から離して支柱部を設けるとよい。
【００４１】
次に、本発明の第２実施形態に係るファン装置について、図４を参照して第１実施形態と相違する点を中心に説明する。図４は、第２実施形態のファン装置のハウジングの底面図であるが、図２と同符号は同部位を示している。
【００４２】
本形態のファン装置と第１実施形態のファン装置との相違点は、リード線保持部である。第１実施形態のリード線保持部９は、１本の腕部９ａの先端にリード線保持凹部９ｂが設けられた構成であるが、本形態の案内部２９は２本の腕部２９a１、２９ａ２がモータ支持部８ａの切欠き８ａ２の側端の両方からファン外枠部側へ突出して設けられる。両腕部２９ａ１、２９ａ２の先端をリード線保持凹部２９ｂが連結する。リード線保持部２９と切欠き８ａ２の縁を合せて閉塞した開口８ａ２’が形成される。リード線保持凹部２９ｂには、第１実施形態と同様に凹溝が形成されている。リード線（図示略）は第１実施形態と同様にリード線保持凹部２９ｂ１を通ってファン外枠部へ引き出される。回路基板が円筒支持部（図示略）に取り付けられている場合、リード線の接合作業は、その開口８ａ２’からリード線を挿入して接合作業を行う。コネクタ付きリード線が接合された回路基板を円筒支持部に取り付ける場合、回路基板を円筒支持部に取り付け後にコネクタを開口８ａ’に通して引き出すようにするとよい。
【００４３】
本形態のファン装置は、リード線を支柱部８ｃ１乃至８ｃ４を介さずにモータ支持部８ａとの間の空隙を通って引き出される。しかも本形態のファン装置は、リード線保持部２９がモータ支持部８ａ側に位置する点において、第１実施形態のファン装置と同様の特徴を有する。特に２本の腕部２９ａ１、２９ａ２によってリード線保持凹部２９ｂが支持されているため、リード線保持部２９の剛性が高く頑丈にモータ支持部８ａに設けられている。これにより、ハウジング８単品またはファン装置完成後に何らかの障害物がリード線保持部２９に衝突しても破損しにくい。
【００４４】
次に、本発明の第３実施形態に係るファン装置について、図５を参照して、第１実施形態と相違する点を中心に説明する。図５は、第３実施形態のファン装置のハウジングの底面図であるが、図２と同符号は同部位を示している。
【００４５】
本形態のファン装置と第１実施形態のファン装置との相違点は、リード線保持部である。第１実施形態のリード線保持部９は、モータ支持部８ａにファン外枠部側へ突出して設けられた構成であるが、本形態のリード線保持部３９は腕部３９ａがファン外枠部８ｂにモータ支持部８ａ側へ突出して設けられる。リード線保持凹部３９ｂがその腕部３９ａの先端から支柱部８ｃ１側に屈曲して設けられている。リード線保持凹部３９ｂには凹溝が形成され、切欠き８ｂ２と凹溝８ｅとを結ぶ直線上に位置する。リード線（図示略）は第１実施形態と同様にリード線保持凹部３９ｂを通ってファン外枠部８ｂへ引き出される。
【００４６】
本形態のファン装置でも、リード線を支柱部８ｃ１乃至８ｃ４を介さずにモータ支持部８ａとの間の空隙を通る点において、第１実施形態とのファン装置と同様の特徴を有する。
【００４７】
次に、本発明の第４実施形態に係るファン装置について、図６を参照して、第３実施形態と相違する点を中心に説明する。図６は、第３実施形態のファン装置のハウジングの底面図であるが、図５と同符号は同部位を示している。
【００４８】
本形態のファン装置と第３実施形態のファン装置の相違点は、リード線保持部である。第３実施形態のリード線保持部３９は、１本の腕部３９ａの先端にリード線保持凹部３９ｂが設けられた構成であるが、本形態のリード線保持部４９は２本の腕部４９ａ１、４９ａ２がファン外枠部８ｂにモータ支持部８ａ側へ突出して設けられる。両腕部４９ａ１、４９ａ２の先端をリード線保持凹部４９ｂが連結する。これにより、両腕部４９ａ１、４９ａ２とファン外枠部８ｂとで閉塞した開口が形成される。リード線保持凹部４９ｂには第３実施形態と同様に凹溝が形成されている。リード線（図示略）は第３実施形態と同様にリード線保持凹部４９ｂを通ってファン外枠部８ｂへ引き出される。
【００４９】
本形態のファン装置は、リード線を支柱部８ｃ１乃至８ｃ４を介さずにモータ支持部８ａとの間の空隙を通って引き出される。リード線保持部４９がファン外枠部側に位置する点において、第３実施形態のファン装置と同様の特徴を有する。しかし、特に２本の腕部４９ａ１、４９ａ２によってリード線保持凹部４９ｂが支持されているため、リード線保持部４９の剛性が高く頑丈にモータ支持部８ａに設けられている。これにより、ハウジング８単品またはファン装置完成後に何らかの障害物がリード線保持部４９に衝突しても破損しにくい。
【００５０】
以上、本発明のファン装置を実施するための最良の形態について説明したが、本発明は
これらに限定するものではなく、その趣旨から逸脱することのない範囲で種々の変更が可
能である。
【００５１】
例えば、各実施形態のハウジング８は端板８ｂ２，８ｂ３を有する構成であるが、端板がないファン外枠円筒部８ｂ１のみのものであってもよい。また、４本の支柱部８ｃ１乃至８ｃ４が端板８ｂ２、８ｂ３の外縁に平行となる方向に延在しているが、モータ支持部８ａ側の端部を周方向にずらせて傾けて非平行となるように延在させてもよい。また、リード線保持部９、２９、３９、４９による空気抵抗を一層低減するには、これらリード線保持部９、２９、３９、４９の腕部及びリード線保持凹部の断面形状が曲面状となるように形成するとよい。また、リード線保持部９、２９、３９、４９のリード線保持凹部は何れも凹部が形成されているが、リード線１０がインペラ２側に移動しなければそのリード線保持凹部の形状は凹部に限るものではなく、片側のみ側壁を設ける構成、傾斜面とする構成、凹部を設けずに平坦面のみとしリード線１０とこの平坦面との接触抵抗を大きくする構成、止め部材を用いリード線１０を止め部材とリード線保持凹部とで挟持する構成などをあげることができる。
【００５２】
また、上記各実施形態においては、ファンモータ４の軸線方向に空気が流れる、いわゆる軸流型のファン装置を例に上げて説明したが、遠心型のファン装置やクロスフロー型のファン装置にも本発明は適用可能である。
【図面の簡単な説明】
【００５３】
【図１】本発明の第１実施形態のファンモータを示す断面図。
【図２】図１のファンモータのハウジングを示す底面図。
【図３】図１のファンモータを示す要部斜視図。
【図４】本発明の第２実施形態のファンモータのハウジングを示す底面図。
【図５】本発明の第３実施形態のファンモータのハウジングを示す底面図。
【図６】本発明の第４実施形態のファンモータのハウジングを示す底面図。
【図７】本発明のファンモータを説明する参考図。
【図８】本発明のファンモータを説明する参考図。
【符号の説明】
【００５４】
２  インペラ
４  ファンモータ
６  回路基板
８  ハウジング
８ａ  モータ支持部
８ｂ  ファン外枠部
８ｃ１乃至８ｃ４  支柱部
９、２９、３９、４９  リード線保持部
１０  リード線
【図１】
2005127319.tif 000003
【図２】
2005127319.tif 000004
【図３】
2005127319.tif 000005
【図４】
2005127319.tif 000006
【図５】
2005127319.tif 000007
【図６】
2005127319.tif 000008
【図７】
2005127319.tif 000009
【図８】
2005127319.tif 000010